(57)【特許請求の範囲】
【請求項１】
上側布帛と下側布帛を有する布製コンクリート型枠であって、
前記下側布帛は、前記上側布帛に直接または間接に固定された固定部と、
前記上側布帛に固定されていない非固定部を有し、且つ、
前記下側布帛は、下記式（１）を満足する領域ｘおよび領域ｙを含み、
前記領域ｘは、縦糸と緯糸が厚さ方向に交差しない非交差部を有する織りを一部又は全部に含み、
前記領域ｙは、前記固定部を除いて、縦糸と緯糸が厚さ方向に交差する平織りにより形成されていることを特徴とする布製コンクリート型枠。
Ｙ＜Ｘ・・・（１）
式中、Ｘは前記非固定部内の直径３ｃｍの円状の領域ｘにおける、前記下側布帛の内側から外側に漏出する液状コンクリートの漏出量を意味し、
Ｙは前記固定部を含む直径３ｃｍの円状の領域ｙにおける、前記下側布帛の内側から外側に漏出する液状コンクリートの漏出量（０の場合を含む）を意味する。
【請求項２】
前記領域ｘの前記固定部に最も近い点は、前記固定部から２ｃｍ以上離れている請求項１に記載の布製コンクリート型枠。
【請求項３】
前記領域ｘの存在する領域は、前記下側布帛全体の面積に対して、５％以上７０％以下である請求項１または２に記載の布製コンクリート型枠。
【請求項４】
前記領域ｘは、網目構造を含んでいる請求項１〜３のいずれかに記載の布製コンクリート型枠。
【請求項５】
前記領域ｘの一部または全部が綾織りである請求項１〜４のいずれかに記載の布製コンクリート型枠。
【請求項６】
前記網目の個々の開口面積は１６ｍｍ2以上である請求項４に記載の布製コンクリート型枠。
【発明の詳細な説明】
【技術分野】
【０００１】
本発明は、布製コンクリート型枠に関する。
【背景技術】
【０００２】
道路建設や宅地造成などに伴う切土や盛土により作られる人工的な斜面及び自然傾斜面を含む傾斜面（以下「法面（のりめん）」という）は、崩壊しないように、土質、岩質等に基づいて安定勾配を算出して、法面の勾配を安定勾配以下とすることが望ましい。法面の勾配を安定勾配以下とすることができない場合には、不足分を法面保護等により補う必要がある。
【０００３】
例えば、モルタルやコンクリート等のセメント系材料を用いて法面保護を行う様々な工法が実用化されている。中でも敷設現場で布製型枠にセメント系材料を注入し、法面保護用構造体を形成する布製コンクリート型枠工法は、地盤形状との適合性が高く、セメント系材料を直接法面に吹き付ける吹付工法や、敷設現場で法枠を組み立ててセメント系材料を流し込む法枠工法などに較べて施工が容易なので、安全性が高く、低コストであり、かつ短納期であるという大きな利点がある（特許文献１〜３参照）。
【先行技術文献】
【特許文献】
【０００４】
【特許文献１】特開平１１−１６６２１８号公報
【特許文献２】特開２００３−５５９７９号公報
【特許文献３】特開平１０−８４７２号公報
【発明の概要】
【発明が解決しようとする課題】
【０００５】
布製コンクリート型枠工法は、勾配が２０°程度の法面を主な施工対象としており、土質、岩質等にもよるが、勾配が３０°程度の法面までは施工することが可能である。仮に従来の施工対象よりも急な、勾配が３０°を超えるような法面に対して無理に布製コンクリート型枠工法を施すと、布製コンクリート型枠にセメント系材料を注入した際に、布製コンクリート型枠がセメント系材料の重さに耐えきれず、法面の表面からセメント系材料と共に滑り落ちてしまうという問題がある。また、補強土工法において、法面に補強材が露出している場合、さらに滑りやすくなる。
【０００６】
また法面以外の地盤等に布製コンクリート型枠工法を施工する場合でも、布製コンクリート型枠が滑りやすい土質、岩質等では、布製コンクリート型枠工法を施工しにくい場合がある。
【０００７】
本発明は以上のような従来の課題を考慮してなされたものであり、急な勾配の法面、および布製コンクリート型枠が滑りやすい土質、岩質等の地盤に対して、安定に布製コンクリート型枠工法を施すことができる布製コンクリート型枠を提供することを目的とする。
【課題を解決するための手段】
【０００８】
本発明に係る布製コンクリート型枠は、上側布帛と下側布帛を有する布製コンクリート型枠であって、上記下側布帛は、上記上側布帛に直接または間接に固定された固定部と、上記上側布帛に固定されていない非固定部を有し、且つ、上記下側布帛は、下記式（１）を満足する領域ｘおよび領域ｙを含むことを特徴とする。
Ｙ＜Ｘ・・・（１）
式中、Ｘは上記非固定部内の直径３ｃｍの円状の領域ｘにおける、上記下側布帛の内側から外側に漏出する液状コンクリートの漏出量を意味し、Ｙは上記固定部を含む直径３ｃｍの円状の領域ｙにおける、上記下側布帛の内側から外側に漏出する液状コンクリートの漏出量（０の場合を含む）を意味する。
【０００９】
該構成により、急な勾配の法面、および布製コンクリート型枠が滑りやすい土質、岩質等の地盤に対して、安定に布製コンクリート型枠工法を施すことができる布製コンクリート型枠を提供することができる。
【００１０】
上記布製コンクリート型枠において、上記領域ｘの上記固定部に最も近い点は、上記固定部から２ｃｍ以上離れていることが好ましい。
【００１１】
上記布製コンクリート型枠において、上記領域ｘの存在する領域は、上記下側布帛全体の面積に対して、５％以上７０％以下であることが好ましい。
【００１２】
上記布製コンクリート型枠において、上記領域ｘは、網目構造を含んでいることが好ましい。
【００１３】
上記布製コンクリート型枠において、上記領域ｘの一部または全部が綾織りであることが好ましい。
【００１４】
上記布製コンクリート型枠において、上記網目の個々の開口面積は１６ｍｍ2以上であることが好ましい。
【発明の効果】
【００１５】
本発明に係る布製コンクリート型枠は、下側布帛に領域ｘを有することにより、布製コンクリート型枠内に液状コンクリートを注入すると、適量の液状コンクリートが、下側布帛より布製コンクリート型枠外へ漏出して布製コンクリート型枠と法面または地盤との間に入り、そのまま固化する。このようなアンカー効果により、布製コンクリート型枠が法面または地盤の表面から滑りにくくなる。
【００１６】
更に、領域ｙを有することにより、液状コンクリートの過剰な漏出を抑制することができ、所望の形状の保護用構造体を得ることができる。その結果、急な勾配の法面、および布製コンクリート型枠が滑りやすい土質、岩質等の地盤に対して、安定に布製コンクリート型枠工法を施工することができる。
【図面の簡単な説明】
【００１７】
【図１】図１は、法面に敷設した実施形態１に係る布製コンクリート型枠の断面図である。
【図２】図２（ａ）は、実施形態１における布製コンクリート型枠内に液状コンクリートを注入したときの、斜視図（一部に断面図を含む）である。図２（ｂ）は、図２（ａ）のＡ−Ａ断面図である。図２（ｃ）は、実施形態１における下側布帛の一部の下面図である。図２（ｄ）は、図２（ｃ）の一部を拡大した平面図である。
【図３】図３（ａ）は、図２（ｃ）の領域ｙの一部を拡大した平面図である。図３（ｂ）は、図２（ｃ）の領域ｘの一部を拡大した平面図である。図３（ｃ）は、図２（ｃ）の領域ｙの一部の断面図である。図３（ｄ）は、図２（ｃ）の領域ｘの一部の断面図である。
【図４】図４（ａ）は、実施形態２における布製コンクリート型枠内に液状コンクリートを注入したときの、斜視図（一部に断面図を含む）である。図４（ｂ）は、図４（ａ）のＡ−Ａ断面図である。図４（ｃ）は、実施形態２における下側布帛の一部の下面図である。
【図５】図５（ａ）は、実施形態３における布製コンクリート型枠内に液状コンクリートを注入したときの、斜視図（一部に断面図を含む）である。図５（ｂ）は、図５（ａ）のＡ−Ａ断面図である。図５（ｃ）は、実施形態３における下側布帛の一部の下面図である。
【発明を実施するための形態】
【００１８】
本発明に係る布製コンクリート型枠は、上側布帛と下側布帛を有する布製コンクリート型枠であって、上記下側布帛は、上記上側布帛に直接または間接に固定された固定部と、上記上側布帛に固定されていない非固定部を有し、且つ、上記下側布帛は、下記式（１）を満足する領域ｘおよび領域ｙを含んでいる。
Ｙ＜Ｘ・・・（１）
式中、Ｘは上記非固定部内の直径３ｃｍの円状の領域ｘにおける、上記下側布帛の内側から外側に漏出する液状コンクリートの漏出量を意味し、Ｙは上記固定部を含む直径３ｃｍの円状の領域ｙにおける、上記下側布帛の内側から外側に漏出する液状コンクリートの漏出量（０の場合を含む）を意味する。
【００１９】
本発明に係る布製コンクリート型枠は、該構成により、急な勾配の法面、および布製コンクリート型枠が滑りやすい土質、岩質等の地盤に対して、安定に布製コンクリート型枠工法を施すことができる布製コンクリート型枠を提供することができる。
【００２０】
以下、本発明を、図面に示した実施形態に基づいて詳細に説明する。
【００２１】
（実施形態１）
図１は、法面２００に敷設した実施形態１に係る布製コンクリート型枠１の断面図である。実施形態１に係る布製コンクリート型枠１を法面２００に敷設して、液状コンクリート５０を注入して固化させることにより保護用構造体１００が法面に固定されている。図１に示す布製コンクリート型枠１は、法面２００の反対側となる上側に面する上側布帛１０、法面２００側となる下側に面する下側布帛２０を備え、下側布帛２０は、上側布帛１０に連結糸３１などで固定されている固定部３０を備える。また、下側布帛２０は、上側布帛１０に固定されていない非固定部４０を備える。更に、下側布帛２０は、非固定部４０内のＭ部分に領域ｘ（詳細は後述する）が存在する。
【００２２】
図１において、上側布帛１０と下側布帛２０との間に液状コンクリート５０を注入すると、下側布帛２０の主に領域ｘから液状コンクリート５０が下側布帛２０の内側から外側へ漏出して、布製コンクリート型枠１と法面２００の隙間に入りこんだ状態で固化する。このような、いわゆるアンカー効果により、布製コンクリート型枠１が法面２００から滑り落ちにくくなっている。
【００２３】
図２（ａ）は、実施形態１における布製コンクリート型枠１内に液状コンクリート５０を注入したときの、斜視図（一部に断面図を含む）である。図２（ｂ）は、図２（ａ）のＡ−Ａ断面図である。図２（ａ）、（ｂ）において、下側布帛２０は、上側布帛１０に連結糸３１によって間接的に固定された固定部３０を有している。同図に示すように、直線状の複数の固定部３０が互いに交差する場合、液状コンクリート５０が布製コンクリート型枠１内で流動できる空間を確保するために、上側布帛１０と下側布帛２０を直接接触させずに、間接的に下側布帛２０を上側布帛１０に固定することが好ましい。但し、後述する実施形態３のように、上側布帛１０と下側布帛２０を接触させて、直接的に下側布帛２０を上側布帛１０に固定することも可能である。
【００２４】
また、連結糸３１は、例えば単糸、双糸、三子糸、四子糸等が挙げられ、特に限定されない。
【００２５】
実施形態１に係る上側布帛１０および下側布帛２０は、後述する素材を用いて得られる織物である。但し、上側布帛１０および下側布帛２０は、織物に限られず、編物であっても良い。
【００２６】
図２（ｃ）は、実施形態１における下側布帛２０の一部を下側（図２（ａ）中の矢印Ｂの方向）から見た下面図である。図２（ｃ）において、下側布帛２０の非固定部４０内の領域ｘは、直径３ｃｍの円状の領域である。下側布帛２０の固定部３０を含む領域ｙは直径３ｃｍの円状の領域である。
【００２７】
同図において、領域ｘにおける下側布帛２０の内側から外側（図２（ａ）中の矢印Ｃの方向。以下「外側方向」と記す）に漏出する液状コンクリート５０の漏出量Ｘ［ｇ／秒・ｃｍ2］と、領域ｙにおける、外側方向に漏出する液状コンクリート５０の漏出量Ｙ［ｇ／秒・ｃｍ2］（０ｇ／秒・ｃｍ2の場合を含む）は、Ｙ＜Ｘの関係を満たす。すなわち、領域ｘにおける液状コンクリート５０の外側方向への漏出量Ｘ［ｇ／秒・ｃｍ2］は、領域ｙにおける液状コンクリート５０の外側方向への漏出量Ｙ［ｇ／秒・ｃｍ2］（０ｇ／秒・ｃｍ2の場合を含む）よりも多い。但し、外側方向に漏出する液状コンクリート５０の漏出量Ｙ［ｇ／秒・ｃｍ2］の測定にあたり、上側布帛１０と下側布帛２０の固定方法が糸等による縫い孔がある場合、該孔より液状コンクリート５０が漏出し、Ｙ＜Ｘの関係を満たさなくなる場合がある。そのため、上記縫い孔がある場合、該孔が領域ｙの端縁部となるように領域ｙの位置を決めるものとする。
【００２８】
同図において、主に、領域ｘより、液状コンクリート５０が下側布帛２０の内側から外側へ漏出して、布製コンクリート型枠１と法面２００の隙間に入りこみ固化するアンカー効果により、布製コンクリート型枠１が法面２００から滑り落ちにくくなっている。更に、液状コンクリート５０が外側方向へ漏出し過ぎると、布製コンクリート型枠１は、図２（ａ）、（ｂ）に示すような所望の形状に膨張できなくなるが、領域ｙが存在することにより、過剰な漏出を防ぎ易くなり、所望の形状の保護用構造体１００を得ることができる。
【００２９】
このように、下側布帛２０は、領域ｘおよび領域ｙを含むことにより、液状コンクリート５０の外側方向への漏出量が制御され、上記アンカー効果を発揮でき、且つ、所望の形状の保護用構造体１００を得ることができるようになっている。その結果、安定に、急な勾配の法面２００、および布製コンクリート型枠１が滑りやすい土質、岩質等の地盤に対しても、保護用構造体１００を設置すること、すなわち、布製コンクリート型枠工法を施工することができる。
【００３０】
また、本発明に係る布製コンクリート型枠１は、下側布帛２０に、上記式（１）を満足する領域ｘおよび領域ｙをそれぞれ少なくとも１つ含んでいれば良い。例えば、図２（ｃ）において、非固定部４０内のＭ部分は、約１０ｃｍ×１０ｃｍの領域であり、領域ｘが存在する部分である。また、同図において、固定部３０を含む位置に領域ｙが存在している。すなわち、図２（ｃ）において、領域ｘが存在するＭ部分の方が、領域ｙが存在する非固定部４０（Ｍ部分を除く）よりも液状コンクリート５０が外側方向へ漏出しやすくなっている。
【００３１】
図２（ｄ）は、図２（ｃ）の一部を拡大した平面図であり、領域ｙの存在する部分をわかり易くするため、固定部３０の一部を省略している。同図において、Ｍ１部分は、７ｃｍ×７ｃｍの正方形の領域であり、後述する綾織りにより形成されている。Ｍ１を除く他の部分（Ｓ１、Ｓ２、Ｎ、Ｍ２）は、平織りにより形成されている。
【００３２】
同図において、Ｍ１部分は、上記綾織りのため、液状コンクリート５０が外側方向へ漏出しやすくなっている。一方、Ｍ２部分、Ｓ１部分、Ｓ２部分、およびＮ部分は、上記平織りのため、液状コンクリート５０が外側方向へ漏出しにくくなっている。
【００３３】
同図において、領域ｘは、例えば、Ｍ１部分のｘ１に存在している。更に、領域ｘは、Ｍ１部分およびＭ２部分を含むｘ２にも存在している。一方、領域ｙは、ｙ１およびｙ２示すとおり、Ｓ１部分およびＳ２部分に存在している。このように領域ｘの一部または全部が綾織り（Ｍ１部分）であることにより、平織り（Ｓ１部分およびＳ２部分）の領域ｙより、液状コンクリート５０が外側方向へ漏出し易くなっている。
【００３４】
同図において、Ｍ１部分は正方形であるが、矩形、円形等であってもよく、特に限定されない。また、Ｍ１部分は、下側布帛２０の固定部３０により区画されるブロック内において、複数存在していても良い。
【００３５】
領域ｘの位置は、液状コンクリート５０を法面や地盤等に効率的に供給し、アンカー効果を有効に発揮させる観点からは、法面や地盤等に接し易い位置であることが好ましい。法面や地盤等に接し易い位置とは、下側布帛２０の固定部３０により区画されるブロックの中央付近、例えば図２（ｂ）、（ｃ）のＭ部分である。
【００３６】
同図において、Ｎ部分には、領域ｘおよび領域ｙが存在していないが、領域ｘを含んでいても良い。また、Ｎ部分には、液状コンクリート５０の外側方向への漏出量が領域ｙと同等以下の領域を含んでいても良い。更に、Ｎ部分は、平織りにより形成されているが、平織りに限らず、朱子織りや綾織りであってもよい。
【００３７】
図２（ｄ）において、Ｌ１は、ｘ１の固定部３０に最も近い点と固定部３０との距離を示す。Ｌ２は、ｘ２の固定部３０に最も近い点と固定部３０との距離を示す。同図において、ｘ１およびｘ２に示すとおり、領域ｘが、固定部３０から離れるに従い、法面や地盤等に接し易い位置である上記ブロックの中央付近に近づく。そのため、領域ｘの固定部３０に最も近い点を、固定部３０から、好ましくは２ｃｍ以上、より好ましくは３ｃｍ以上、更に好ましくは４ｃｍ以上離すことにより、アンカー効果を発揮し易くなる。一方、領域ｘが、固定部３０から離れすぎると、液状コンクリート５０が漏出しないか又は漏出しにくい領域が大きくなる。そのため、領域ｘの固定部３０に最も近い点を、固定部３０から、好ましくは１０ｃｍ以下、より好ましくは７ｃｍ以下、更に好ましくは５ｃｍ以下離すことにより、液状コンクリート５０が外側方向へ漏出し易くなる。
【００３８】
また、下側布帛２０の全体面積に対して、領域ｘの存在する領域を大きくすると、液状コンクリート５０が漏出しやすくなる。そのため、領域ｘの存在する領域は、下側布帛２０の全体面積に対して、好ましくは５％以上、より好ましくは１０％以上、更に好ましくは２０％以上とする。一方、領域ｘの存在する領域が大きすぎると、液状コンクリート５０が漏出し過ぎるおそれがある。そのため、領域ｘの存在する領域は、下側布帛２０の全体面積に対して、好ましくは７０％以下、より好ましくは５０％以下、更に好ましくは３０％以下とすることにより、過剰な漏出を防ぎやすくなる。
【００３９】
次に、領域ｙは同図において、Ｓ１部分およびＳ２部分に存在している。同図において、固定部３０には連結糸３１による縫い孔（図示せず）が存在しているため、ｙ１およびｙ２に示すとおり、領域ｙは、端縁部に固定部３０を含む位置に存在する。但し、固定部３０に縫い孔等の孔が存在しない場合は、端縁部に限らず、ｙ３に示すように、領域ｙ内に固定部３０を含んでいてもよい。
【００４０】
図３（ａ）は、図２（ｃ）の領域ｙの一部を拡大した平面図である。図３（ｃ）は、図２（ｃ）の領域ｙの一部の断面図である。図３（ａ）、（ｃ）に示すとおり、領域ｙは、固定部３０を除いて縦糸３２Ａと緯糸３２Ｂが領域ｙの厚さ方向（図３（ｃ）中の矢印Ｄの方向）に交差する平織りにより形成される網目構造３２であり、０．２×０．２ｍｍ角程度の網目３４が万遍なく存在している。網目構造３２により、液状コンクリート５０が漏出しにくくなっている。
【００４１】
網目３４の形状は、正方形に限られず、矩形、多角形等であっても構わない。
【００４２】
網目３４の開口面積を０．０３ｍｍ2未満にすると、布製コンクリート型枠１内の液状コンクリート５０が脱水しにくくなる。そのため、個々の網目３４の開口面積を、好ましくは０．０３ｍｍ2以上、より好ましくは０．１ｍｍ2以上とすることにより、布製コンクリート型枠１内の液状コンクリート５０を脱水し易くすることができる。一方、個々の網目３４の開口面積が３６ｍｍ2を超えると、液状コンクリート５０が漏出し易くなるおそれがある。そのため、個々の網目３４の開口面積を、好ましくは３６ｍｍ2以下、より好ましくは１６ｍｍ2以下とすることにより、漏出を防ぎやすくなる。
【００４３】
領域ｙは、図３（ａ）、（ｃ）に示すような網目構造３２に限られず、必要とする強度があり、且つ液状コンクリート５０が領域ｘよりも漏出しにくいかまたは漏出しない構造であればよいが、強度確保の観点からは、領域ｙは網目構造であることが好ましい。
【００４４】
領域ｙは、後述するポリエステル等を素材として形成されるが、上記素材の直径が、小さすぎると強度を確保できなくなる。更に、上記素材の直径が小さすぎると、領域ｙより液状コンクリート５０が漏出し易くなるおそれがある。そのため、上記素材の直径を、好ましくは０．１ｍｍ以上、より好ましくは０．３ｍｍ以上とすることにより、領域ｙの強度を確保でき、更に、液状コンクリート５０の漏出を防ぎやすくなる。一方、上記素材の直径が大きくなりすぎると、布製コンクリート型枠１が重たくなり、持ち運びに不便である。そのため、上記繊維の直径を、好ましくは２ｍｍ以下、より好ましくは１ｍｍ以下とすることにより、布製コンクリート型枠１を軽量化することができる。
【００４５】
次に、図３（ｂ）は、図２（ｃ）の領域ｘの一部を拡大した平面図である。図３（ｄ）は、図２（ｃ）の領域ｘの一部の断面図である。図３（ｂ）、（ｄ）に示す領域ｘは、縦糸４２Ａと緯糸４２Ｂにより形成される網目構造４２を含んでいる。
【００４６】
また、同図において、領域ｘの一部は、縦糸４２Ａと緯糸４２Ｂが厚さ方向（図３（ｄ）中の矢印Ｄの方向。以下「厚さ方向」と記す）に交差する交差部、および縦糸４２Ａと緯糸４２Ｂが厚さ方向に交差しない非交差部４３を含むいわゆる綾織りにより形成されている。
【００４７】
同図に示すとおり、領域ｘは５×５ｍｍ角程度の網目４４が万遍なく存在している。非交差部４３は、液状コンクリート５０が外側方向へ漏出し易いため、該構成を含むことにより領域ｘは、領域ｙよりも液状コンクリート５０が漏出し易くなっている。
【００４８】
また、図３（ｂ）、（ｄ）において、領域ｘの一部は、縦糸４２Ａと緯糸４２Ｂを１本飛ばしにより形成しているが、２本以上飛ばして形成してもよい。また、領域ｘは、必ずしも一部または全部が綾織りである必要はなく、例えば、領域ｘの一部または全部が朱子織りや網目の大きい平織り（詳細は後述する）であってもよい。更には、領域ｘの一部または全部が、複数の縦糸４２Ａと複数の緯糸４２Ｂを重ねあわせるのみで、厚さ方向に交差する交差部をまったく含まない網目構造であってもよい。
【００４９】
網目４４の形状は、正方形に限られず、矩形、多角形等であっても構わない。
【００５０】
領域ｘが、綾織りなどの非交差部４３を有する織りを一部又は全部に含む場合、個々の網目４４の開口面積が１６ｍｍ2未満であると、液状コンクリート５０の漏出量が少なくなる場合がある。そのために、個々の網目４４の開口面積を、好ましくは１６ｍｍ2以上、より好ましくは２５ｍｍ2以上とすることにより、液状コンクリート５０が漏出し易くなる。一方、個々の網目４４の開口面積が大き過ぎると、領域ｘの強度が保てなくなるおそれがある。そのために、個々の網目４４の開口面積を、好ましくは１００ｍｍ2以下、より好ましくは５０ｍｍ2以下とすることにより、領域ｘの強度を確保することができる。
【００５１】
また、領域ｘが一部又は全部に平織りを含む場合、個々の網目４４の開口面積を３６ｍｍ2超とすることにより、液状コンクリート５０の漏出量が多くすることができる。そのため、平織りを含む場合、個々の網目４４の開口面積を、好ましくは３６ｍｍ2超、より好ましくは４９ｍｍ2以上とする。一方、個々の網目４４の開口面積が大き過ぎると、領域ｘの強度が保てなくなるおそれがある。そのために、領域ｘの個々の網目４４の開口面積を、好ましくは１００ｍｍ2以下、より好ましくは６４ｍｍ2以下とすることにより、領域ｘの強度を確保することができる。
【００５２】
領域ｘは、図３（ｂ）、（ｄ）に示すような網目構造４２に限られず、必要とする強度があり、且つ、領域ｙより液状コンクリート５０が漏出し易い構造であればよい。例えば、領域ｘは、突起物等を用いて、下側布帛２０に孔を１以上空けて液状コンクリート５０を漏出し易くした構造であっても良い。生産性の観点からは、領域ｘは網目構造であることが好ましい。
【００５３】
領域ｘは、後述するポリエステル等を素材として形成されるが、素材の直径は、小さすぎると強度を確保できなくなるおそれがある。そのため、上記素材の直径を、好ましくは０．２ｍｍ以上、より好ましくは０．５ｍｍ以上とすることにより、領域ｘの強度を確保することができる。一方、上記素材の直径が大きくなりすぎると、布製コンクリート型枠１が重たくなり、持ち運びに不便である。また、領域ｘでは、上記素材の直径が大きくなりすぎると、液状コンクリート５０が漏出しにくくなるおそれがある。そのため、上記素材の直径は、好ましくは３ｍｍ以下、より好ましくは２ｍｍ以下とすることにより、領域ｘの強度を確保でき、且つ、液状コンクリート５０が漏出し易くなる。
【００５４】
布製コンクリート型枠１の上側布帛１０、下側布帛２０（領域ｘおよび領域ｙ等を含む）の各構成の素材には、ポリエステル、ナイロン、アラミド、全芳香族ポリエステル、ポリエチレン、ポリプロピレン、ポリ塩化ビニールなどの合成繊維、アセテートなどの半合成繊維、レーヨンなどの再生繊維、ガラス繊維などの無機繊維、綿や麻などの天然繊維を用いることができる。このうち、特に強度、経済性の観点からポリエステルを用いることが望ましい。
【００５５】
液状コンクリート５０は、上側布帛１０と下側布帛２０との間に注入することができる程度の適度な流動性があり、時間の経過とともに固化するものであれば限定されない。例えば、モルタルやコンクリート等のセメント系材料である。実施形態１では、マンションや橋脚などに用いるものよりも水分を多くして粘度を下げ、適度な流動性が得られるように調整したセメント系材料（例えば、水セメント比６０％、Ｐロート（フローコーン）によるフロー値２０±３秒のモルタル）を用いている。
【００５６】
本発明において、液状コンクリート５０の漏出量［ｇ／秒・ｃｍ2］とは、液状コンクリート５０の全成分の漏出量に限られない。例えば、領域ｘにおいて、液状コンクリート５０の全成分が漏出し、領域ｙにおいて、液状コンクリート５０の一部の成分だけが漏出する場合、それぞれ漏出した液状物質の量を液状コンクリート５０の漏出量とする。
【００５７】
布製コンクリート型枠１の寸法は、特に限定されない。布製コンクリート型枠工法を施工する法面等の面積、形状等に適した寸法の布製コンクリート型枠１を作製すればよい。
【００５８】
（実施形態２）
実施形態２に係る布製コンクリート型枠を用いて作製された法面保護用構造体は、実施形態１に係る布製コンクリート型枠１を用いて作製された法面保護用構造体１００と、固定部３０を除いて同様の構造となる。
【００５９】
図４（ａ）は、実施形態２における布製コンクリート型枠２内に液状コンクリート５０を注入したときの、斜視図（一部に断面図を含む）である。図４（ｂ）は、図４（ａ）のＡ−Ａ断面図である。図４（ｃ）は、実施形態２における下側布帛２０の一部を下側（図４（ａ）中の矢印Ｂの方向）から見た下面図である。ここで布製コンクリート型枠１と同様の構成要素には同一番号を付し、その説明を省略する。
【００６０】
図４（ａ）〜（ｃ）に示すように、実施形態２に係る布製コンクリート型枠２は、実施形態１の下側布帛２０の直線状の固定部３０を増やし、固定部３０により区画される下側布帛２０のブロックの数を増やしたものである。図４（ａ）、（ｂ）に示すとおり、実施形態１のように必ずしも、下側布帛２０の固定部３０により区画されるブロックの全てに、図４（ｃ）の領域ｘが存在する必要はない。
【００６１】
（実施形態３）
実施形態３に係る布製コンクリート型枠を用いて作製された法面保護用構造体は、実施形態１に係る布製コンクリート型枠１を用いて作製された法面保護用構造体１００と、固定部３０を除いて同様の構造となる。
【００６２】
図５（ａ）は、実施形態３における布製コンクリート型枠３内に液状コンクリート５０を注入したときの、斜視図（一部に断面図を含む）である。図５（ｂ）は、図５（ａ）のＡ−Ａ断面図である。図５（ｃ）は、実施形態３における下側布帛２０の一部を下側（図５（ａ）中の矢印Ｂの方向）から見た下面図である。ここで布製コンクリート型枠１と同様の構成要素には同一番号を付し、その説明を省略する。
【００６３】
図５（ａ）〜（ｃ）に示すように、実施形態３に係る布製コンクリート型枠３は、固定部３０が円状に形成されている。更に、上側布帛１０と下側布帛２０を接触させて、直接的に連結糸３１を用いて下側布帛２０を上側布帛１０に固定されている。また、円状の固定部３０には、水抜き用フィルタ材３６が設置されている。このように固定部３０には、水抜き用フィルタ材３６材等が存在していても良い。
【００６４】
図５（ａ）〜（ｃ）に示すように、布製コンクリート型枠３は、実施形態１または実施形態２のように、必ずしも、下側布帛２０の固定部３０により区画されるブロックを有する必要はない。また、実施形態３において、実施形態１および２と同様に領域ｘの位置は、法面や地盤に接し易い位置であることが好ましい。法面や地盤に接し易い位置とは、実施形態３において、例えば、固定部３０より距離をおいて存在するＭ部分である。
【符号の説明】
【００６５】
１、２、３    布製コンクリート型枠
１０          上側布帛
２０          下側布帛
３０          固定部
３１          連結糸
３２、４２    網目構造
３４、４４    網目
３６          水抜き用フィルタ材
４０          非固定部
４３          非交差部
５０          液状コンクリート
１００        保護用構造体
２００        法面
【図１】
0006465474.tif 000002
【図２】
0006465474.tif 000003
【図３】
0006465474.tif 000004
【図４】
0006465474.tif 000005
【図５】
0006465474.tif 000006